(57)【特許請求の範囲】
【請求項１】
上面、下面、ならびに前記上面および前記下面の間に位置する側面を有し、前記上面と前記側面との交線部に切刃が形成された多角柱形状の切削インサートであって、
前記上面が、平坦な上端面を有する凸形状の主部と、該主部から前記上面の角部に向かって突出した第１の突出部と、該第１の突出部における前記上面の角部に向かう第１先端と前記角部との間の領域を間に挟むように前記第１の突出部から前記上面の周縁に向かってそれぞれ突出した一対の第２の突出部とを有し、
前記一対の第２の突出部における前記下面からの高さが最も高い第２上端が、前記第１の突出部から離れており、
前記一対の第２の突出部のそれぞれにおける前記第２上端の高さが、前記第１の突出部における前記下面からの高さが最も高い第１上端の高さと同じであることを特徴とする切削インサート。
【請求項２】
前記第１の突出部が、前記上面の角部に向かう端部に位置して平坦な傾斜面である第１の先端部を有するとともに、前記主部が、前記上面の角部に向かう端部に位置して凹形状の傾斜面である第２の先端部を有することを特徴とする請求項１に記載の切削インサート。
【請求項３】
前記一対の第２の突出部の一方における前記上面の周縁に向かって突出する方向が、前記一対の第２の突出部の他方における前記上面の周縁に向かって突出する方向に位置する部分の前記切刃と平行であることを特徴とする請求項１に記載の切削インサート。
【請求項４】
前記側面は、第１側面、コーナ側面および第２側面を順に有し、
前記切刃は、前記上面と前記第１側面との交線部に形成された第１切刃と、前記上面と前記コーナ側面との交線部に形成されたコーナ切刃と、前記上面と前記第２側面との交線部に形成された第２切刃とを有し、
前記一対の第２の突出部の一方が、前記第１切刃と前記コーナ切刃との境界に向かって突出しているとともに、前記一対の第２の突出部の他方が、前記第２切刃と前記コーナ切刃との境界に向かって突出しており、
前記第１の突出部が、前記上面の角部に向かう端部に位置して平坦な傾斜面である第１の先端部を有するとともに、
前記第１の先端部における前記下面からの高さが最も高い第３上端の高さが、前記一対の第２の突出部における前記第２上端の高さよりも低いことを特徴とする請求項１に記載の切削インサート。
【請求項５】
前記一対の第２の突出部における前記上面の周縁に向かって突出する第２先端が、前記第１の突出部における前記第１先端よりも前記第１の突出部における前記上面の周縁に向かって突出した方向にそれぞれ突出していることを特徴とする請求項４に記載の切削インサート。
【請求項６】
前記第２の突出部の上面が凸曲面状であることを特徴とする請求項４または５に記載の切削インサート。
【請求項７】
請求項１〜６のいずれか１つに記載の切削インサートと、
前記切削インサートが装着されたホルダとを具備した切削工具。
【請求項８】
被削材を回転させる工程と、
回転している前記被削材に請求項７に記載の切削工具の前記切刃を接触させる工程と、
前記切削工具を前記被削材から離隔する工程とを備えた切削加工物の製造方法。
【発明の詳細な説明】
【技術分野】
【０００１】
本発明は、切削インサート、切削工具および切削加工物の製造方法に関する。
【背景技術】
【０００２】
従来、切削加工などに用いられる切削工具として、ホルダに切削インサートが装着されたスローアウェイ式の切削工具が用いられている。このような切削工具に用いられる切削インサートは、一般的に、上面、下面および側面を有し、上面と側面との交線部に切刃が形成された構成となっている。この切刃を金属部材のような回転する被削材に接触させることによって、被削材を切削することができる。【０００３】
切削インサートとしては、特許文献１に記載の切削チップのように、被削材の切屑が当接する突起を上面に設けた構成が提案されている。特許文献１に記載の切削インサートにおいては、被削材の切屑を第１突起（第１リッジ）、および第１突起から延びた第２突起（第２リッジ）に当接させることによって切屑を湾曲させることができる。【０００４】
特許文献１に記載の切削インサートにおいて、切屑は、高切込み加工時に、まず第２突起に接触する。そして、第２突起を乗り上げた後、第１突起に接触する。このとき、第２突起の上端が第１突起に接するように位置していることから、切屑が、第２突起の上から第１突起の上を進む際に、滑らかに進行する。そのため、切屑を適当な形状に湾曲させることが困難になる可能性がある。このような場合には、切屑の湾曲が不十分となり、切屑が必要以上に長くなってしまう可能性があった。
【特許文献１】特開２００９−２０８２１６号公報
【発明の概要】
【０００５】
本発明の一態様に基づく切削インサートは、多角柱形状であって、上面、下面、ならびに前記上面および前記下面の間に位置する側面を有し、前記上面と前記側面との交線部に切刃が形成されている。前記上面は、上方に凸である主部と、該主部から前記上面の角部に向かって突出した第１の突出部と、該第１の突出部における前記上面の角部に向かう第１先端と前記角部との間の領域を間に挟むように前記第１の突出部から前記上面の周縁に向かってそれぞれ突出した一対の第２の突出部とを有している。そして、上記態様の切削インサートは、前記一対の第２の突出部における前記下面からの高さが最も高い第２上端が、前記第１の突出部から離れており、前記一対の第２の突出部のそれぞれにおける前記第２上端の高さが、前記第１の突出部における前記下面からの高さが最も高い第１上端の高さと同じであることを特徴としている。
【図面の簡単な説明】
【０００６】
【図１】本発明の第１の実施形態の切削インサートを示す斜視図である。
【図２】図１に示す切削インサートの平面図である。
【図３】図１に示す切削インサートにおける領域Ａを拡大した拡大斜視図である。
【図４】図３に示す切削インサートにおける領域Ｃをさらに拡大した拡大斜視図である。
【図５】図２に示す切削インサートにおける領域Ｂを拡大した拡大平面図である。
【図６】図５に示す切削インサートにおける領域Ｄをさらに拡大した拡大斜視図である。
【図７】図５に示す切削インサートにおける領域Ｄをさらに拡大した拡大斜視図である。
【図８】図１に示す切削インサートのＹ１−Ｙ１断面における、第１の突出部を含む領域を拡大した拡大断面図である。
【図９】図５に示す切削インサートのＹ２−Ｙ２断面における、第２の突出部を含む領域を拡大した拡大断面図である。
【図１０】本発明の一実施形態にかかる切削方法の工程図である。
【図１１】本発明の一実施形態にかかる切削方法の工程図である。
【図１２】本発明の一実施形態にかかる切削方法の工程図である。
【発明を実施するための形態】
【０００７】
＜切削インサート＞
以下、一実施形態の切削インサートについて、図面を用いて詳細に説明する。但し、以下で参照する各図は、説明の便宜上、実施形態の構成部材のうち、本発明を説明するために必要な主要部材のみを簡略化して示したものである。従って、本発明の切削インサートは、本明細書が参照する各図に示されていない任意の構成部材を備え得る。また、各図中の部材の寸法は、実際の構成部材の寸法および各部材の寸法比率等を忠実に表したものではない。
【０００８】
図１〜９に示すように、本実施形態の切削インサート１は、平面視した場合の形状が四角形状、具体的には菱形状である上面３および下面５を備えている。より具体的には、上面３および下面５は、厳密な四角形ではない。四角形を為す各辺の交点である角部がそれぞれ曲線状であるコーナ部となっている。
【０００９】
また、上面３と下面５との間には、これらの面にそれぞれ接続された４つの側面７を備えている。側面７は、上面３および下面５における四角形を為す各辺の間に位置する平坦な部分と、上面３および下面５における曲線状となっている部分の間に位置する曲面状の部分とを有している。具体的には、側面７は、平坦な第１側面７ａ、曲面状のコーナ側面７ｂ、および平坦な第２側面７ｃを有している。
【００１０】
上面３と下面５とは、平面視した場合に互いに重なり合うように略同一形状である。そのため、上面３と下面５との間に位置する４つの側面７は、それぞれ上面３および下面５に対して垂直に形成されている。これらの上面３、下面５および側面７によって、切削インサート１は多角柱状、具体的には、四角柱形状に構成されている。
【００１１】
また、上面３と側面７との交線部、および下面５と側面７との交線部にはそれぞれ切刃９が形成されている。すなわち、本実施形態の切削インサート１は、上面３と側面７との交線部に加えて、下面５と側面７との交線部にも切刃９が形成された、いわゆるネガティブ型の切削インサート１である。なお、切削インサート１としては、上面３と側面７との交線部のみに切刃９が形成された、いわゆるポジティブ型の切削インサート１であっても何ら問題ない。
【００１２】
本実施形態の切削インサート１はネガティブ型であり、本実施形態の切削インサート１における下面５は、特に図示しないが、上面３と同様の構成を有している。ネガティブ型の切削インサート１は、上下反転させて用いることができる。すなわち、切削インサート１の下面５を着座面としてホルダ１０３に装着している場合には、切削インサート１の上面３と側面７との交線部に形成された切刃９を切削加工に用いることができる。また、上下反転させて、切削インサート１の上面３を着座面としてホルダ１０３に装着している場合には、切削インサート１の下面５と側面７との交線部に形成された切刃９を切削加工に用いることができる。
【００１３】
切刃９においては、上面３と第１側面７ａとの交線部に第１切刃９ａが、上面３とコーナ側面７ｂとの交線部にコーナ切刃９ｂが、上面３と第２側面７ｃとの交線部に第２切刃９ｃがそれぞれ形成されている。
【００１４】
切刃９の下面５からの高さは一定であってもよいが、本実施形態における切刃９は、第１切刃９ａおよび第２切刃９ｃにおけるコーナ切刃９ｂに隣接する部分が角部２７から離れるにしたがって下面側に傾斜した構成になっている。第１切刃９ａおよび第２切刃９ｃにおけるコーナ切刃９ｂに隣接する部分は高切込み時において用いられるが、この構成によって、この部分の切削抵抗を下げることができる。
【００１５】
本実施形態の切削インサート１における菱形状の上面３における長手方向の幅は、例えば１５〜２５ｍｍ程度に設定される。また、長手方向に垂直な方向の幅は、１０〜２２ｍｍ程度に設定される。菱形状の下面５の大きさは、上記する上面３の大きさに合わせて設定される。切削インサート１の厚みは、例えば３〜７ｍｍ程度に設定される。
【００１６】
このとき、厚みとは、切削インサート１を側面視した場合に、上面３のうち最も上方に位置する部分と下面５のうち最も下方に位置する部分までの上下方向の幅を意味している。例えば、本実施形態の切削インサート１においては、上面３の上端および下面５の下端にそれぞれ、ホルダ１０３に装着される際に着座面となる平坦面が形成されている。これらの平坦面における上下方向の幅が切削インサート１の厚みである。
【００１７】
切削インサート１の材質としては、例えば、超硬合金あるいはサーメットなどが挙げられる。超硬合金の組成としては、例えば、炭化タングステン（ＷＣ）にコバルト（Ｃｏ）の粉末を加えて焼結して生成されるＷＣ−Ｃｏ、ＷＣ−Ｃｏに炭化チタン（ＴｉＣ）を添加したＷＣ−ＴｉＣ−Ｃｏ、あるいはＷＣ−ＴｉＣ−Ｃｏに炭化タンタル（ＴａＣ）を添加したＷＣ−ＴｉＣ−ＴａＣ−Ｃｏがある。また、サーメットは、セラミック成分に金属を複合させた焼結複合材料であり、具体的には、炭化チタン（ＴｉＣ）、または窒化チタン（ＴｉＮ）を主成分としたチタン化合物が挙げられる。
【００１８】
切削インサート１の表面は、化学蒸着（ＣＶＤ）法または物理蒸着（ＰＶＤ）法を用いて被膜でコーティングされていてもよい。被膜の組成としては、炭化チタン（ＴｉＣ）、窒化チタン（ＴｉＮ）、炭窒化チタン（ＴｉＣＮ）またはアルミナ（Ａｌ２Ｏ３）などが挙げられる。
【００１９】
本実施形態の切削インサート１における上面３は、主部１１、ランド部１３およびブレーカ溝１５を有している。主部１１は、上方に凸の形状であって、後述する貫通孔１７を囲むように位置している。上面３の周縁には、主部１１を囲むようにランド部１３が形成されている。すなわち、ランド部１３と側面７との交線部に切刃９が形成されている。
【００２０】
また、主部１１とランド部１３との間にはブレーカ溝１５が形成されている。主部１１およびランド部１３における下面５からの高さは、ブレーカ溝１５の底面における下面５からの高さよりも高い位置にある。また、主部１１における下面５からの高さは、ランド部１３における下面５からの高さよりも高い。
【００２１】
ブレーカ溝１５における切刃９に沿った領域のすくい角は、高切込み領域で切屑を引き込み、切屑のカールを促進させる目的と、切削抵抗を下げる目的とから、角部２７の近傍で最大となっている。また、角部２７に対応する部分および角部２７から離れた部分では強度維持のため、上記の部分よりも相対的に小さい角度となっている。
【００２２】
なお、上記した「下面５からの高さ」とは、下面５が平坦面である場合であれば、この平坦面からの上下方向の幅を意味する。また、本実施形態の切削インサート１のように下面５に凹凸がある場合であれば、「下面５からの高さ」とは、ホルダ１０３に装着される際に着座面として機能する、平坦な下端面からの上下方向の幅を意味する。
【００２３】
また、上面３は、主部１１から上面３の角部２７に向かって突出した第１の突出部１９と、第１の突出部１９から上面３の周縁に向かってそれぞれ突出した一対の第２の突出部２１，２３とを有している。第１の突出部１９および第２の突出部２１，２３における下面５からの高さは、主部１１における下面５からの高さよりも低い。一対の第２の突出部２１，２３は、少なくとも第１の突出部１９の先端部１９ａ（以下、単に先端部１９ａともいう）および第１の突出部１９の先端と角部２７との間の領域を間に挟むように位置している。
【００２４】
このような第２の突出部２１，２３を有していることから、第２の突出部２１，２３より低切込みかつ高送り加工時において、一対の第２の突出部２１，２３によって切屑を処理するため、高送り加工時に切屑が詰まることが抑制され、切削抵抗が上がらずに切屑をコントロールすることができる。
【００２５】
さらに、本実施形態の切削インサート１は、一対の第２の突出部２１，２３が、単に第１の突出部１９から上面３の周縁に向かってそれぞれ突出しているのではなく、一対の第２の突出部２１，２３の上端のそれぞれが第１の突出部１９から離れている、という第１の特徴を有している。すなわち、第１の突出部１９と第２の突出部２１，２３との境界に窪みである凹部２５が形成される。より具体的には、第１の突出部１９と第２の突出部２１，２３との間に、上方、および第２の突出部２１，２３の突出する方向に直交する方向に開口する凹部２５が形成される。
【００２６】
このように、第１の突出部１９と第２の突出部２１，２３との間に窪みができるので、例えば高切込み加工時の様に、第２の突出部２１，２３に乗り上げた切屑が、この窪みに引き込まれてから第１の突出部１９に当たるため切屑を容易に湾曲させることができる。そのため、切屑が分断され易くなるので、切屑が過度に長くなることを抑制でき、切屑の排出性を良好なものにできる。
【００２７】
本実施形態の切削インサート１には、上面３の中央から下面５の中央にかけて貫通する貫通孔１７が形成されている。貫通孔１７は、切削インサート１を切削工具１０１のホルダ１０３にネジ止め固定する際にボルト１０５を挿入するために設けられている。なお、切削インサート１をホルダ１０３に固定する方法としては、上記のネジ止め固定による方法に代えて、クランプ構造を採用してもよい。
【００２８】
主部１１は、上側端面が平坦面である。切削インサート１を上下反転させて、切削インサート１の上面３を着座面としてホルダ１０３に装着する場合に、主部１１の上側端面が着座面として機能する。第１の突出部１９は、主部１１から上面３の角部２７に向かって突出している。一対の第２の突出部２１，２３は、第１の突出部１９の先端と角部２７との間の領域を間に挟むように位置している。
【００２９】
本実施形態の切削インサート１においては、第１の突出部１９の先端と角部２７とを結ぶ直線を間に挟むように一対の第２の突出部２１，２３が位置している。一対の第２の突出部２１，２３は上記の直線を中心軸として線対称となるように位置している。第１の突出部１９および第２の突出部２１，２３は、それぞれ切屑のいわゆるブレーカとして機能する。
【００３０】
一対の第２の突出部２１，２３の上端のそれぞれは、第１の突出部１９の上端と同じ高さに位置した構成とすることができる。第１の突出部１９の上端の高さ、具体的には下面５からの高さが第２の突出部２１，２３の上端の高さと同程度であることによって、切屑をより安定して湾曲させることができる。
【００３１】
また、第２の突出部２１，２３のいずれかに接触して第１の突出部１９の後端部１９ｂへと切屑が向かった場合に、切屑を後端部１９ｂに滑らかに接触させ易くなる。切屑が第１の突出部１９の後端部１９ｂに強く接触すると後端部１９ｂを起点として切屑が詰まり易くなる。後端部１９ｂを起点として切屑が詰まった場合には、切屑が第１の突出部１９の後端部１９ｂだけでなく先端部１９ａにも強く接触するようになり、先端部１９ａが損傷する可能性がある。しかしながら、切屑が後端部１９ｂに滑らかに接触することによって切屑が先端部１９ａに強く接触する可能性を小さくできる。結果として、先端部１９ａが損傷する可能性を小さくできる。
【００３２】
一方、高切込みかつ低送り加工時において第１の突出部１９および第２の突出部２１，２３の側面に切屑が接触した場合に、第１の突出部１９の上端と第２の突出部２１，２３の上端の高さが同じであることによって、第１の突出部１９および第２の突出部２１，２３における切屑の湾曲のばらつきを小さくできる。そのため、安定して切屑を湾曲させることができる。
【００３３】
本実施形態の切削インサート１においては、第１の突出部１９の先端面１９ａが下面５に対して傾斜する平坦面形状であるとともに、主部１１の先端面１１ａが下面５に対して傾斜する凹曲面形状である。低切込みかつ低送り加工時において、第２の突出部２１，２３の側面に加えて第１の突出部１９の先端面に切屑が接触する。相対的に厚みが小さく変形し易い切屑を安定して湾曲させるため、第１の突出部１９の先端は平坦な傾斜面となっている。
【００３４】
また、主部１１の先端面には高送り加工時において切屑が当接する。高送り加工時においては、切屑の厚みが相対的に大きい。このような場合に、主部１１の先端面が変形する可能性を抑制するとともに、切屑を安定して湾曲させるため、図５に示すように、主部１１の先端が凹状の傾斜面となっている。
【００３５】
本実施形態の切削インサート１を用いて切削加工を行う場合、例えば、低切込み加工を行う場合においては、コーナ切刃９ｂにおける第１切刃９ａに近い部分、または、コーナ切刃９ｂにおける第２切刃９ｃに近い部分が主として用いられる。コーナ切刃９ｂにおける第１切刃９ａに近い部分、または、コーナ切刃９ｂにおける第２切刃９ｃに近い部分のいずれが用いられるかは、被削材２０１を接触させる方向によって決定される。
【００３６】
被削材２０１を第１側面７ａの側（図５〜７における右側）から切削インサート１に接触させる場合においては、コーナ切刃９ｂにおける第１切刃９ａに近い部分が主として切削加工に用いられる。また、被削材２０１を第２側面７ｃの側（図５〜７における左側）から切削インサート１に接触させる場合においては、コーナ切刃９ｂにおける第２切刃９ｃに近い部分が主として切削加工に用いられる。
【００３７】
コーナ切刃９ｂにおける第１切刃９ａに近い部分が主として切削加工に用いられる場合においては、この部分で切削された被削材の切屑は、第２の突出部２１，２３のうち、第１切刃９ａから相対的に離れた第２の突出部２３に接触することによって変形、分断される。
【００３８】
本実施形態の切削インサート１においては、第２の突出部２１が、第１切刃９ａとコーナ切刃９ｂとの境界に向かって突出するとともに、第２の突出部２３が、第２切刃９ｃとコーナ切刃９ｂとの境界に向かって突出しており、先端部１９ａの高さが、第２の突出部２１，２３の上面の高さよりも低いことを第２の特徴としている。
【００３９】
すなわち、本実施形態の切削インサート１においては、第２の突出部２１，２３が単にコーナ二等分線に対称に配置されているのではなく、第２の突出部２１が第１切刃９ａとコーナ切刃９ｂとの境界に向かって突出するとともに、第２の突出部２３が第２切刃９ｃとコーナ切刃９ｂとの境界に向かって突出している。
【００４０】
第２の突出部２３が上記の境界に向かってではなく、第２の突出部２３が第２切刃９ｃとコーナ切刃９ｂとの境界よりも上面３の角部に向かって、すなわち、コーナ切刃９ｂに向かって突出している場合に、第２の突出部２３と第１切刃９ａとの間隔を狭くすることができる。しかしながら、このような場合には、第２の突出部２３の突出する方向と第１切刃９ａの為す角度が大きくなる。そのため、切屑を第２の突出部２３に接触させて良好に湾曲させることが困難となり、切屑の分断性能が低下する。
【００４１】
一方、本実施形態の切削インサート１においては、第２の突出部２３が上記の境界に向かって突出していることから、第２の突出部２３の突出する方向と第１切刃９ａの為す角度が小さくなるので、切屑を良好に分断することができる。具体的には、第２の突出部２３が上記の境界に向かって突出していることによって、第２の突出部２３が切削工具の送り方向もしくは被削材の回転軸に対してほぼ垂直な状態で配置されていることから、切屑を良好に分断することができる。
【００４２】
なお、本実施形態の切削インサート１において、「第２の突出部２１が第１切刃９ａとコーナ切刃９ｂとの境界に向かって突出している」とは、第２の突出部２１の先端および後端を結ぶ直線Ｘ１と平行であって第２の突出部２１の少なくとも一部を通る直線が、第１切刃９ａとコーナ切刃９ｂとの境界上に位置することを意味している。具体的には、図６に示すように、直線Ｘ１を間に挟む２つの二点鎖線間に、第１切刃９ａとコーナ切刃９ｂとの境界が位置している。そのため、第２の突出部２１の先端および後端を結ぶ直線が厳密に上記の境界上に位置することに限られるものではない。
【００４３】
さらに、第２の突出部２１，２３が、少なくとも第１の突出部１９の先端部１９ａを間に挟むように位置している。言い換えれば、第１の突出部１９の先端部１９ａが、第２の突出部２１，２３の間において、コーナ切刃９ｂに向かって突出している。
【００４４】
そのため、コーナの曲率半径を大きくした場合であっても、コーナ切刃９ｂにおける第１切刃９ａに近い部分で切削された被削材の切屑をまず第１の突出部１９の先端部１９ａに接触させることができる。具体的には、第１の突出部１９の先端部１９ａは、第２の突出部２３よりも第１切刃９ａに近い位置にある。これによって、低送りによる切削加工時においては、第１の突出部１９の先端部１９ａに切屑を接触させることができる。
【００４５】
加えて、先端部１９ａの高さが第２の突出部２１，２３の上面の高さよりも低いので、送り量を増やした場合には切屑が先端部１９ａを乗り越える。このような場合には、切屑が第２の突出部２３に接触する。そのため、送り量が大きい場合であっても切屑を安定して変形させることができる。このように、本実施形態の切削インサート１は、コーナの曲率半径を大きくした場合であっても、低送り加工および高送り加工のそれぞれにおいて良好に切削加工を行うことが可能である。
【００４６】
なお、先端部１９ａの高さ、および第２の突出部２１，２３の上面の高さは、上記のように「下面５からの高さ」を算出することによって評価できる。また、第２の突出部２１，２３における「上面」とは、第２の突出部２１，２３における下面５からの高さの最も高い部分を意味しており、必ずしも平坦な面である必要は無い。言い換えれば、第１の突出部１９のうち、第２の突出部２１，２３との間に挟まれた部分の上面の高さが、第２の突出部２１，２３における最も高さの高い位置である上端の高さよりも低くなっている。
【００４７】
本実施形態の切削インサート１は、このようなコーナ切刃９ｂの領域で被削材２０１を切削する低切込み加工時において、幅広い送り量の切削加工に対して良好に用いられる。なお、本実施形態の切削インサート１は、低切込み加工時において良好に用いられるが、当然ながら、高切込み加工時に用いることが阻害されるものではない。
【００４８】
また、上記の説明は、コーナ切刃９ｂにおける第１切刃９ａに近い部分が主として切削加工に用いられる場合についてのものであるが、コーナ切刃９ｂにおける第２切刃９ｃに近い部分が主として切削加工に用いられる場合には、第２の突出部２１の役割と第２の突出部２３の役割とが逆になる。
【００４９】
第１の突出部１９は、第２の突出部２１，２３の間に挟まれた先端部１９ａと、この先端部１９ａよりも後端側に位置する部分とを有している。以下、この部分を便宜的に後端部１９ｂとする。先端部１９ａの上面が平面状の傾斜面である。また、後端部１９ｂの上面が凹曲面状の傾斜面である。先端部１９ａおよび後端部１９ｂの上面はそれぞれコーナ切刃９ｂに向かうに従って高さが低くなる傾斜面となっている。
【００５０】
第１の突出部１９の先端部１９ａは、低切込みかつ低送り加工時において切屑を接触させ変形させる際に主として機能する。低送り加工の場合においては切屑の厚みが小さいので、切屑は、上面が平面状の傾斜面である先端部１９ａに接触することによって容易に湾曲する。また、切込み量が大きく、送り量も大きい場合には、切屑が先端部１９ａを乗り越えて第１の突出部１９の後端部１９ｂに接触する可能性がある。
【００５１】
このような場合に、後端部１９ｂの上面が凹曲面状の傾斜面であることから、この傾斜面に沿って切屑が進行する際に、切屑と後端部１９ｂとの接触面積を増やすことができる。そのため、切屑に安定してブレーキを掛けることができるので、切屑を効率良く分断することができる。
【００５２】
また、本実施形態の切削インサート１において、第１の突出部１９の突出した方向に直交する方向における第１の突出部１９の後端部１９ｂの幅が、後端側から先端側に向かって漸次小さくなっている。加えて、第１の突出部１９の突出した方向に直交する方向における第１の突出部１９の先端部１９ａの幅が、後端側から先端側に向かって漸次大きくなっている。先端部１９ａの先端側における幅が相対的に大きいことから、切込みの低い加工時において切屑を安定して先端部１９ａの上面に乗り上げさせることができる。
【００５３】
また、先端部１９ａの全体の幅が大きいのではなく、先端部１９ａの後端側における幅が相対的に小さいことから、第２の突出部２１，２３との間隔が過度に大きくなることを抑制できる。すなわち、第１切刃９ａと第２の突出部２３との間隔を小さくできる。そのため、コーナ切刃９ｂで切削された切屑が第２の突出部２３に接触するまでの距離が過度に大きくなることを抑制できる。そのため、切屑を第２の突出部２３に接触させる際に、切屑を安定して変形させることができる。
【００５４】
第１の突出部１９の後端部１９ｂの上面は既に示した様に凹曲面状である。そのため、切屑を後端部１９ｂに接触させる場合に、後端部１９ｂの上面のうち先端側よりも後端側に切屑から大きな負荷が加わり易い。しかしながら、後端部１９ｂの後端側における幅が相対的に大きいことから、上記した相対的に大きな負荷が加わり易い後端部１９ｂの後端側において、切屑との接触面積を大きくすることができる。従って、第１の突出部１９に加わる負荷を分散させることができる。結果として、第１の突出部１９の後端部１９ｂの耐久性を向上させることができる。
【００５５】
また、後端部１９ｂの全体の幅が大きいのではなく、後端部１９ｂの先端側における幅が相対的に小さいことから、第２の突出部２１，２３との間隔が過度に大きくなることを抑制できる。そのため、上述のように、切屑を第２の突出部２３に接触させる際に、切屑を安定して変形させることができる。
【００５６】
また、本実施形態の切削インサート１において、第２の突出部２１，２３の先端部が、第１の突出部１９の先端部１９ａよりも第１の突出部１９の突出した方向に突出している。具体的には、図７に示すように、第１の突出部１９の突出した方向に直交し、かつ、第１の突出部１９の先端に接する直線をＸ３とする。また、第１の突出部１９の突出した方向に直交し、かつ、第２の突出部２１，２３の先端に接する直線をＸ４とする。
【００５７】
このとき、直線Ｘ４は直線Ｘ３に対して平行であり、直線Ｘ４が直線Ｘ３よりも第１の突出部１９の突出した方向である角部２７の近くに位置している。そのため、コーナ切刃９ｂ、第１の突出部１９、第２の突出部２１，２３で囲まれた領域に凹部が形成される。凹部はブレーカ溝１５の一部を構成している。このような凹部が形成されている場合には、第２の突出部２３に接触する切屑をこの凹部において変形させ易くなる。
【００５８】
本実施形態の切削インサート１においては、第２の突出部２１，２３がそれぞれ直線状に突出している。ここで、直線状に突出しているとは、例えば第２の突出部２３の場合に、第２の突出部２３の先端と後端とを結ぶ稜線がそれぞれ直線状に形成されていることを意味している。そのため、第２の突出部２３自体が直線形状である必要は無く、図６，７に示すように先端側と後端側との間の中央部分の幅の広い楕円球、あるいは水滴のような形状であってもよい。
【００５９】
本実施形態の切削インサート１における第２の突出部２１，２３は、それぞれ上面が凸曲面状であるとともに、側面の下端が凹曲面状である。そのため、下面５に垂直、かつ第２の突出部２３を含む断面において、上面を含む上端側の表面が凸曲線にて示され、ブレーカ溝１５に連続する下端側の表面が凹曲線にて示される。
【００６０】
送り量が大きくなることによって、切屑が第１の突出部１９の先端部１９ａを跨いで第２の突出部２１，２３の表面に接触するようになる。しかしながら、このような場合であっても、第２の突出部２３におけるブレーカ溝１５に連続する下端側の凹曲面状である表面で第２の突出部２１，２３に接触する切屑を容易にカールさせることができる。
【００６１】
また、第２の突出部２１，２３の上面が凸曲面状であることから、送り量が更に大きくなって、第２の突出部２１，２３から第１の突出部１９の後端部１９ｂへと進む切屑を滑らかに進行させることができる。そのため、切屑を後端部１９ｂの上面において安定して変形させることができる。
【００６２】
また、本実施形態の切削インサート１においては、第２の突出部２３の突出した方向が、第２側面７ｃと略平行である。このように第２の突出部２３が形成されている場合には、第２の突出部２３に切屑が接触する送り量の加工時において、第２の突出部２３によって切屑を安定して湾曲させることができる。そのため、切屑が適度な長さで切断され易くなるので、切屑が過度に長くなることを抑制できる。
【００６３】
また、第２の突出部２１の突出した方向が、第１側面７ａと略平行である。このように第２の突出部２１が形成されている場合には、左右逆方向から被削材を切削インサート１に接触させることによって第２の突出部２１に切屑が接触する切削加工時に、切屑の長さをコントロールし易くなる。具体的には、第２の突出部２１に切屑が接触する送り量の加工時において、第２の突出部２１によって切屑を安定して湾曲させることができる。そのため、切屑が適度な長さで切断され易くなるので、切屑が過度に長くなることを抑制できる。
【００６４】
第１の突出部１９、第２の突出部２１，２３の例示的な大きさとしては以下の通りである。図５において、第１の突出部１９の突出する方向（図５における上下方向）で示される第１の突出部１９の後端部１９ｂの長さは０．４〜１ｍｍ、上記方向に直交する方向で示される後端部１９ｂの幅は０．３〜０．６ｍｍに設定できる。
【００６５】
また、第１の突出部１９の突出する方向（図５における上下方向）で示される第１の突出部１９の先端部１９ａの長さは０．３〜０．７ｍｍ、上記方向に直交する方向で示される先端部１９ａの幅は０．４〜０．７ｍｍに設定できる。また、第２の突出部２１の突出する方向で示される第２の突出部２１それぞれの長さは０．３〜０．８ｍｍ、上記方向に直交する方向で示される第２の突出部２１の幅は０．３〜０．６ｍｍに設定できる。また、第３の突出部２３の突出する方向で示される第３の突出部２３それぞれの長さは０．３〜０．８ｍｍ、上記方向に直交する方向で示される第３の突出部２３の幅は０．３〜０．６ｍｍに設定できる。
【００６６】
なお、本実施形態の切削インサート１は、図２に示すように、平面視した場合の上面３の形状が菱形状の四角形状であるが、このような形態には限られない。例えば、平面視した場合の上面３の形状が三角形、五角形、六角形または八角形のような多角形状であってもよい。
【００６７】
また、平面視した場合の形状が四角形状であるとは、厳密に四角形であることを要求するものではなく、上面３外周の主要部分が４辺からなる構成であって、例えば、角部２７が部分的に曲線形状となっていてもよい。
【００６８】
＜切削工具＞
次に、本発明の一実施形態の切削工具１０１について図面を用いて説明する。
【００６９】
本実施形態の切削工具１０１は、図１０〜１２に示すように、上記実施形態に代表される切削インサート１と、切削インサート１が装着されたホルダ１０３とを具備している。本実施形態のホルダ１０３は棒状であって、一方の端部に切削インサート１が装着されるインサートポケットを有している。切削インサート１は、切刃９がホルダ１０３の外周よりも外側の突出するように装着される。
【００７０】
本実施形態においては、切削インサート１は、ボルト１０５によって、インサートポケットに固定されている。すなわち、切削インサート１の貫通孔１７にボルト１０５を挿入し、このボルト１０５の先端をインサートポケットに形成されたネジ孔（図示せず）に挿入してネジ部同士を螺合させることによって、切削インサート１がホルダ１０３に装着されている。
【００７１】
ホルダ１０３としては、鋼、鋳鉄などを用いることができる。特に、これらの部材の中で靱性の高い鋼を用いることが好ましい。
【００７２】
＜切削加工物の製造方法＞
次に、本発明の一実施形態の被削材２０１を切削することによる切削加工物の製造方法について図面を用いて説明する。
【００７３】
本実施形態の製造方法は、以下の工程を備えている。すなわち、
（１）図１０に示すように、被削材２０１を回転させた状態で上記実施形態に代表される切削工具１０１を被削材２０１に相対的に近付ける工程と、
（２）図１１に示すように、回転している被削材２０１に切削工具１０１の切刃９のうち少なくともコーナ切れ刃１３を接触させる工程と、
（３）図１２に示すように、切削工具１０１を被削材２０１から離す工程と、
を備えている。
【００７４】
本実施形態の切削加工物の製造方法においては、切削インサート１が、上記の特徴的構成を備えた第１の突出部１９、第２の突出部２１，２３を有していることから、幅広い送り量の切削加工に対応することが可能となる。
【００７５】
なお、図１０においては、回転軸を固定した状態で被削材２０１を回転させるとともに、切削工具１０１を近付けている。また、図１１においては、被削材２０１を回転させた状態で、切削工具１０１を被削材２０１に接触させて切削加工を行っている。また、図１２においては、回転軸を固定した状態で被削材２０１を回転させるとともに、切削工具１０１を遠ざけている。なお、本実施形態の切削方法においては、それぞれの工程において、回転軸を固定した状態で被削材２０１を回転させるとともに切削工具１０１を動かしているが、当然ながらこのような形態に限定されるものではない。
【００７６】
例えば、（１）の工程において、被削材２０１を切削工具１０１に近付けてもよい。また、（３）の工程において、被削材２０１を切削工具１０１から遠ざけてもよい。切削加工を継続する場合には、被削材２０１を回転させた状態を保持して、被削材２０１の異なる箇所に切削インサート１のコーナ切刃９ｂを接触させる工程を繰り返せばよい。使用しているコーナ切刃９ｂが摩耗した際には、切削インサート１を貫通孔１７の中心軸に対して１８０度回転させる、あるいは上下反転させて、未使用のコーナ切刃９ｂを用いることができる。
【００７７】
なお、被削材２０１の材質の代表例としては、炭素鋼、合金鋼、ステンレス、鋳鉄、または非鉄金属などが挙げられる。
【符号の説明】
【００７８】
１・・・切削インサート
３・・・上面
５・・・下面
７・・・側面
７ａ・・・第１側面
７ｂ・・・コーナ側面
７ｃ・・・第２側面
９・・・切刃
９ａ・・・第１切刃
９ｂ・・・コーナ切刃
９ｃ・・・第２切刃
１１・・・主部
１３・・・ランド部
１５・・・ブレーカ溝
１７・・・貫通孔
１９・・・第１の突出部
１９ａ・・・先端部
１９ｂ・・・後端部
２１・・・第２の突出部
２３・・・第３の突出部
２５・・・凹部
２７・・・角部
１０１・・・切削工具
１０３・・・ホルダ
１０５・・・ボルト
２０１・・・被削材
【図１】
0005844881.tif 000002
【図２】
0005844881.tif 000003
【図３】
0005844881.tif 000004
【図４】
0005844881.tif 000005
【図５】
0005844881.tif 000006
【図６】
0005844881.tif 000007
【図７】
0005844881.tif 000008
【図８】
0005844881.tif 000009
【図９】
0005844881.tif 000010
【図１０】
0005844881.tif 000011
【図１１】
0005844881.tif 000012
【図１２】
0005844881.tif 000013